【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
エレベータ昇降路内を乗りかご用ガイドレールに沿って昇降する乗りかごと、エレベータ昇降路内を釣合いおもり用ガイドレールに沿って昇降する釣合いおもりと、前記乗りかご及び前記釣合いおもりを懸吊するロープと、前記ロープに動力を伝達して前記乗りかご及び前記釣合いおもりを昇降駆動するための駆動装置と、前記ロープの端部を固定するためのロープ取付装置と、を備え、前記ロープ取付装置は、前記ロープの端部を前記乗りかご用ガイドレール及び前記釣合いおもり用ガイドレールのいずれか一方又は両方に固定することを特徴とするエレベータ装置。
【請求項２】
前記ロープ取付装置は、前記乗りかご用ガイドレール又は前記釣合いおもり用ガイドレールの背面に固定されたベース部と、前記ベース部から水平方向に向かって延出するロープ支持部と、を備えたことを特徴とする請求項１記載のエレベータ装置。
【請求項３】
前記ロープ取付装置は、前記乗りかご用ガイドレール又は前記釣合いおもり用ガイドレールの頂部に縦断面が逆Ｌ字状になるようにして取り付けられたＬ型部材を有し、前記Ｌ型部材の垂直方向に延びる部分が前記ベース部を構成し、前記Ｌ型部材の水平方向に延びる部分が前記ロープ支持部を構成することを特徴とする請求項２記載のエレベータ装置。
【請求項４】
前記Ｌ型部材の前記ロープ支持部には、前記乗りかご用ガイドレール又は前記釣合いおもり用ガイドレールを挿通し得る大きさの切り欠き部が形成されており、前記乗りかご用ガイドレール又は前記釣合いおもり用ガイドレールは前記切り欠き部に挿通され、前記Ｌ型部材は縦断面が逆Ｌ字状又はＬ字状になるようにして前記乗りかご用ガイドレール又は前記釣合いおもり用ガイドレールの途中に取り付けられていることを特徴とする請求項３記載のエレベータ装置。
【請求項５】
前記ロープ取付装置は、前記乗りかご用ガイドレール又は前記釣合いおもり用ガイドレールを内側に受け入れて横断面がＵ字状になるようにして取り付けられたＵ型部材を有し、前記Ｕ型部材は、前記ベース部及び前記ベース部の両側縁から水平方向に延びる一対の前記ロープ支持部から成り、前記一対のロープ支持部にはロープ取付板が固設されており、前記ロープは、前記ロープ取付板に取り付けられていることを特徴とする請求項２記載のエレベータ装置。
【請求項６】
対向する一対の前記乗りかご用ガイドレール又は対向する一対の前記釣合いおもり用ガイドレールに、一対の前記ロープ取付装置をエレベータ昇降路内の同一高さ位置にて取り付け、前記一対のロープ取付装置の一対の前記ロープ支持部にロープ取付板を掛け渡して両端支持構造で取り付け、前記ロープを前記ロープ取付板に取り付けたことを特徴とする請求項２乃至請求項５のいずれか一項に記載のエレベータ装置。
【請求項７】
前記ロープ取付装置は、前記乗りかご用ガイドレール又は前記釣合いおもり用ガイドレールの背面に固定され、前記背面と同一平面上で前記背面の縁を越えて水平方向に延びるベース部と、前記ベース部から延出するロープ支持部と、を備えたことを特徴とする請求項１記載のエレベータ装置。
【請求項８】
前記乗りかご用ガイドレール又は前記釣合いおもり用ガイドレールの前記ロープ取付装置を取り付けた部分に固定部材の一端を固定し、前記固定部材の他端を前記乗りかご用ガイドレール又は前記釣合いおもり用ガイドレールを挟んで前記ロープ取付装置と反対側に位置する昇降路壁又は建屋梁などの構造物に固定したことを特徴とする請求項７記載のエレベータ装置。
【請求項９】
前記ロープ取付装置は、前記乗りかご用ガイドレール又は前記釣合いおもり用ガイドレールの背面に、縦断面がＣ字状になるようにして取り付けられたＣ型部材を有し、前記Ｃ型部材の垂直方向に延びる部分が前記ベース部を構成し、前記Ｃ型部材の水平方向に延びる部分が前記ロープ支持部を構成し、前記ロープ支持部にはロープ取付板が固設されており、前記ロープは、前記ロープ取付板に取り付けられていることを特徴とする請求項７又は請求項８に記載のエレベータ装置。
【請求項１０】
一対の前記乗りかご用ガイドレールのうちの一方の背面と、一対の前記釣合いおもり用ガイドレールのうちの一方の背面とが同一平面上に位置しており、
同一平面上に位置している前記両背面に前記ベース部を掛け渡して両端支持構造で取り付けたことを特徴とする請求項７乃至請求項９のいずれか一項に記載のエレベータ装置。
【請求項１１】
一対の前記乗りかご用ガイドレールのうちの一方の背面と、一対の前記釣合いおもり用ガイドレールのうちの一方の背面とが同一平面上に位置しており、
同一平面上にある前記両背面のそれぞれに、前記ロープ取付装置をエレベータ昇降路内の同一高さ位置に取り付け、前記両ロープ取付装置の前記両ロープ支持部にロープ取付板を掛け渡して両端支持構造で取り付け、前記ロープを前記ロープ取付板に取り付けたことを特徴とする請求項７乃至請求項９のいずれか一項に記載のエレベータ装置。
【請求項１２】
前記ロープは、弾性体を介して前記ロープ取付装置に取り付けられており、
前記弾性体の変形量を計測して前記乗りかごに積載された荷重を検出するための荷重検出手段をさらに有することを特徴とする請求項１乃至請求項１１のいずれか一項に記載のエレベータ装置。
【請求項１３】
エレベータ昇降路内を乗りかご用ガイドレールに沿って昇降する乗りかごと、
エレベータ昇降路内を釣合いおもり用ガイドレールに沿って昇降する釣合いおもりと、
前記乗りかご及び前記釣合いおもりを懸吊するロープと、
前記ロープに動力を伝達して前記乗りかご及び前記釣合いおもりを昇降駆動するための駆動装置と、
前記乗りかご用ガイドレール及び前記釣合いおもり用ガイドレールの一方に設けられ、前記ロープの一端を固定するように成された少なくとも一つのロープ取付装置であって、Ｕ字状の水平部分を持ち、前記乗りかご用ガイドレール及び前記釣合いおもり用ガイドレールの一方の背面に固定されたベース部と、前記ロープの一端を支持するように成され、前記ベース部の両側縁から水平方向に延びて前記乗りかご用ガイドレール及び前記釣合いおもり用ガイドレールの一方がそれらの間に配置される複数の支持アームと、前記ロープの一端を支持するように成され、前記支持アームに設けられた支持プレートと、を有し、前記支持プレート及び前記ベース部は、前記乗りかご用ガイドレール及び前記釣合いおもり用ガイドレールの一方が前記ベース部と前記支持プレートとの間を通り得るようにする開口部を画成している、ロープ取付装置と、を備えたエレベータ装置。
【請求項１４】
前記駆動装置の形状が薄形・平盤であることを特徴とする請求項１乃至請求項１３のいずれか一項に記載のエレベータ装置。
【請求項１５】
前記駆動装置は昇降路の上部に配置されていることを特徴とする請求項１乃至請求項１４のいずれか一項に記載のエレベータ装置。
【請求項１６】
前記駆動装置は前記釣合いおもりの移動方向の鉛直線上に配置されていることを特徴とする請求項１乃至請求項１５のいずれか一項に記載のエレベータ装置。
【請求項１７】
前記駆動装置は前記乗りかごの昇降空間と昇降路との間に配置されていることを特徴とする請求項１乃至請求項１６のいずれか一項に記載のエレベータ装置。
【請求項１８】
前記乗りかごの下に前記ロープが通っていることを特徴とする請求項１乃至請求項１７のいずれか一項に記載のエレベータ装置。
【手続補正２】
【補正対象書類名】明細書
【補正対象項目名】０００８
【補正方法】変更
【補正の内容】
【０００８】
【課題を解決するための手段】
本発明によるエレベータ装置は、エレベータ昇降路内を乗りかご用ガイドレールに沿って昇降する乗りかごと、エレベータ昇降路内を釣合いおもり用ガイドレールに沿って昇降する釣合いおもりと、前記乗りかご及び前記釣合いおもりを懸吊するロープと、前記ロープに動力を伝達して前記乗りかご及び前記釣合いおもりを昇降駆動するための駆動装置と、前記ロープの端部を固定するためのロープ取付装置と、を備え、前記ロープ取付装置は、前記ロープの端部を前記乗りかご用ガイドレール及び前記釣合いおもり用ガイドレールのいずれか一方又は両方に固定することを特徴とする。
【手続補正３】
【補正対象書類名】明細書
【補正対象項目名】００１９
【補正方法】変更
【補正の内容】
【００１９】
また、前記ロープは、弾性体を介して前記ロープ取付装置に取り付けられており、前記弾性体の変形量を計測して前記乗りかごに積載された荷重を検出するための荷重検出手段をさらに有することが望ましい。
本発明によるエレベータ装置は、エレベータ昇降路内を乗りかご用ガイドレールに沿って昇降する乗りかごと、エレベータ昇降路内を釣合いおもり用ガイドレールに沿って昇降する釣合いおもりと、前記乗りかご及び前記釣合いおもりを懸吊するロープと、前記ロープに動力を伝達して前記乗りかご及び前記釣合いおもりを昇降駆動するための駆動装置と、前記乗りかご用ガイドレール及び前記釣合いおもり用ガイドレールの一方に設けられ、前記ロープの一端を固定するように成された少なくとも一つのロープ取付装置であって、Ｕ字状の水平部分を持ち、前記乗りかご用ガイドレール及び前記釣合いおもり用ガイドレールの一方の背面に固定されたベース部と、前記ロープの一端を支持するように成され、前記ベース部の両側縁から水平方向に延びて前記乗りかご用ガイドレール及び前記釣合いおもり用ガイドレールの一方がそれらの間に配置される複数の支持アームと、前記ロープの一端を支持するように成され、前記支持アームに設けられた支持プレートと、を有し、前記支持プレート及び前記ベース部は、前記乗りかご用ガイドレール及び前記釣合いおもり用ガイドレールの一方が前記ベース部と前記支持プレートとの間を通り得るようにする開口部を画成している、ロープ取付装置と、を備える。
また、前記駆動装置の形状が薄形・平盤であることが望ましい。
また、前記駆動装置は昇降路の上部に配置されていることが望ましい。
また、前記駆動装置は前記釣合いおもりの移動方向の鉛直線上に配置されていることが望ましい。
また、前記駆動装置は前記乗りかごの昇降空間と昇降路との間に配置されていることが望ましい。
また、前記乗りかごの下に前記ロープが通っていることが望ましい。